(57)【要約】【課題】構造が簡単で部品数も削減できるスタンド装置を提供する。【解決手段】タブレット端末１０は、スタンド装置１０の装置本体１００の軸支部分１２０に軸支されている末端部分２２０が軸支方向に一対に分割されていて分割方向に弾性的に湾曲自在なスタンド本体２１０と、スタンド本体２１０の一対の末端部分２２０に分割方向に一方が形成されているとともに他方が装置本体１００の軸支部分１２０に形成されていて相互に回動自在に係合する一対の軸部２３０または一対の軸穴１１０と、スタンド本体２１０に形成されている一対の軸部２３０または一対の軸穴１１０の一方に形成されていて一対の末端部分２２０の弾性変形により他方との係合を解除する形状の面取部２３１と、を有している。【選択図】図１
2014066321.tif 000002
【特許請求の範囲】
【請求項１】
スタンド装置の装置本体の軸支部分に軸支されている末端部分が軸支方向に一対に分割されていて分割方向に弾性的に湾曲自在なスタンド本体と、
前記スタンド本体の一対の前記末端部分に分割方向に一方が形成されているとともに他方が前記装置本体の軸支部分に形成されていて相互に回動自在に係合する一対の軸部または一対の軸穴と、
前記スタンド本体に形成されている一対の前記軸部または一対の前記軸穴の一方に形成されていて一対の前記末端部分の弾性変形により他方との係合を解除する形状の面取部と、
を有しているスタンド部材。
【請求項２】
前記軸部は、前記スタンド本体の前記末端部分の両外側面に突設されていて前記装置本体の軸支部分の相対する一対の両内側面に形成されている軸穴に回動自在に各々係合し、
前記面取部は、一対の前記軸部の各々の外端部の少なくとも一部に形成されていて中心側から外周側へと分割方向の内側に傾斜している、
請求項１に記載のスタンド部材。
【請求項３】
前記スタンド本体は、その長手方向で少なくとも先端側から末端側へと分割方向の外側に傾斜した前記面取部が前記軸部に形成されている、
請求項２に記載のスタンド部材。
【請求項４】
前記スタンド本体は、
前記スタンド軸部の基端から前記軸面取部の先端までの軸支方向の軸部全長ａと、
前記軸面取部の軸支方向の面取部長ｂと、
分割されている前記末端部分の間隙内幅ｃとが、
ａ＜ｂ＋ｃ
を満足している、
請求項１ないし３の何れか一項に記載のスタンド部材。
【請求項５】
前記装置本体から開放されている前記スタンド本体に所定の外力が軸支方向に作用すると前記面取部が一対の前記軸部および一対の前記軸穴の係合を解除する方向に前記末端部分が弾性変形する、
請求項１ないし４の何れか一項に記載のスタンド部材。
【請求項６】
前記スタンド本体は、分割されている前記末端部分の間隙に弾性体が配置されている、
請求項１ないし５の何れか一項に記載のスタンド部材。
【請求項７】
スタンド装置のスタンド部材の軸支方向に分割されていて分割方向に弾性的に湾曲自在な末端部分を軸支する軸支部分と、
前記軸支部分に軸支方向に一方が形成されているとともに他方が前記スタンド部材の一対の前記末端部分に形成されていて相互に回動自在に係合する一対の軸部または一対の軸穴と、
前記軸支部分に形成されている一対の前記軸部または一対の前記軸穴の一方に形成されていて前記スタンド部材の一対の前記末端部分の弾性変形により他方との係合を解除する形状の面取部と、
を有している装置本体。
【請求項８】
スタンド本体の末端部分が一対に分割されていて分割方向に弾性的に湾曲自在なスタンド部材と、
前記スタンド本体の末端部分を軸支部分で回動自在に軸支している装置本体と、
前記スタンド本体の一対の前記末端部分に分割方向に一方が形成されているとともに他方が前記装置本体の軸支部分に形成されていて相互に回動自在に係合している一対の軸部および一対の軸穴と、
一対の前記軸部および一対の前記軸穴の少なくとも一方に形成されていて前記スタンド部材の一対の前記末端部分の弾性変形により係合を解除する形状の面取部と、
を有している、スタンド装置。
【請求項９】
請求項１ないし６の何れか一項に記載のスタンド部材と、
前記スタンド部材の末端部分が軸支部分に回動自在に係合している前記装置本体と、
を有しているスタンド装置。
【請求項１０】
相互に回動自在に係合している一対の軸部および一対の軸穴の一方が装置本体に形成されているとともに他方がスタンド部材に形成されており、
一対の前記軸部および一対の前記軸穴の少なくとも一方に面取部が形成されており、
前記装置本体から開放されている前記スタンド部材に所定の外力が軸支方向に作用すると前記面取部が一対の前記軸部および一対の前記軸穴の係合を解除する、
スタンド装置の前記装置本体と前記スタンド部材との係合解除方法。
【発明の詳細な説明】
【技術分野】
【０００１】
本発明は、携帯電話端末やタブレット端末などのスタンド装置のスタンド部材、スタンド装置の装置本体、スタンド装置、装置本体とスタンド部材との係合解除方法、に関する。
【背景技術】
【０００２】
スタンド装置である携帯電話端末やタブレット端末が一般に普及している。このようなスタンド装置において、想定外の荷重が作用しても破損を防止することができるスタンド構造を有しているものが提案されている(たとえば、特許文献１参照)。
【０００３】
そのスタンド装置は、第一及び第二のスタンド部を有しており、パネル本体の裏面に、床面に接地する第二のスタンド部が開閉自在に装着されている。第一のスタンド部は、第二のスタンド部の根元に結合されている。第一及び第二のスタンド部の結合部分は、想定外の荷重がパネル本体に作用したとき、第二のスタンド部の根元に形成されている挿入凹部の第三のスリットの方向に、第一のスタンド部下方の先端部分が移動する。さらには、第一のスタンド部の先端部分が、第二のスタンド部の根元の第一及び第二の突起部のテーパー形状部分に接しながら移動する。
【０００４】
これにより、第一のスタンド部の先端部分が第二のスタンド部の第一及び第二の突起部を押し広げ、第三のスリットの幅が拡大していく。やがて、第三のスリットの幅は、第一のスタンド部の先端部分の幅よりも広くなり、第二のスタンド部は、第一のスタンド部から外れて分離する。
【先行技術文献】
【特許文献】
【０００５】
【特許文献１】特開２００９−１５８６６９号公報
【発明の概要】
【発明が解決しようとする課題】
【０００６】
上述したスタンド装置では、スタンド部材として第一のスタンド部と第二のスタンド部とを別個に形成して組み合わせており、想定外の応力が作用すると第一のスタンド部と第二のスタンド部とが分離する構造としている。しかしながら、これでは構造が複雑で部品数も増大することになる。
【０００７】
本発明は上述のような課題に鑑みてなされたものであり、構造が簡単で部品数も削減できるスタンド装置のスタンド部材および装置本体、スタンド装置、装置本体とスタンド部材との係合を解除する係合解除方法、を提供するものである。
【課題を解決するための手段】
【０００８】
本発明のスタンド部材は、スタンド装置の装置本体の軸支部分に軸支されている末端部分が軸支方向に一対に分割されていて分割方向に弾性的に湾曲自在なスタンド本体と、前記スタンド本体の一対の前記末端部分に分割方向に一方が形成されているとともに他方が前記装置本体の軸支部分に形成されていて相互に回動自在に係合する一対の軸部または一対の軸穴と、前記スタンド本体に形成されている一対の前記軸部または一対の前記軸穴の一方に形成されていて一対の前記末端部分の弾性変形により他方との係合を解除する形状の面取部と、を有している。
【０００９】
本発明の装置本体は、スタンド装置のスタンド部材の軸支方向に分割されていて分割方向に弾性的に湾曲自在な末端部分を軸支する軸支部分と、前記軸支部分に軸支方向に一方が形成されているとともに他方が前記スタンド部材の一対の前記末端部分に形成されていて相互に回動自在に係合する一対の軸部または一対の軸穴と、前記軸支部分に形成されている一対の前記軸部または一対の前記軸穴の一方に形成されていて前記スタンド部材の一対の前記末端部分の弾性変形により他方との係合を解除する形状の面取部と、を有している。
【００１０】
本発明のスタンド装置は、スタンド本体の末端部分が一対に分割されていて分割方向に弾性的に湾曲自在なスタンド部材と、前記スタンド本体の末端部分を軸支部分で回動自在に軸支している装置本体と、前記スタンド本体の一対の前記末端部分に分割方向に一方が形成されているとともに他方が前記装置本体の軸支部分に形成されていて相互に回動自在に係合している一対の軸部および一対の軸穴と、一対の前記軸部および一対の前記軸穴の少なくとも一方に形成されていて前記スタンド部材の一対の前記末端部分の弾性変形により係合を解除する形状の面取部と、を有している。
【００１１】
本発明の係合解除方法は、相互に回動自在に係合している一対の軸部および一対の軸穴の一方が装置本体に形成されているとともに他方がスタンド部材に形成されており、一対の前記軸部および一対の前記軸穴の少なくとも一方に面取部が形成されており、前記装置本体から開放されている前記スタンド部材に所定の外力が軸支方向に作用すると前記面取部が一対の前記軸部および一対の前記軸穴の係合を解除する。
【発明の効果】
【００１２】
本発明のスタンド装置およびスタンド部材および装置本体では、装置本体から開放されてるスタンド部材に所定の外力が軸支方向に作用すると、装置本体からスタンド部材が離脱するので、装置本体やスタンド部材が破損することを防止できる。
【図面の簡単な説明】
【００１３】
【図１】本発明の実施の形態におけるスタンド装置であるタブレット端末の装置本体の軸支部分とスタンド部材の末端部分との係合状態を示す模式的な縦断側面図である。
【図２】本発明の実施の形態におけるタブレット端末の装置本体にスタンド部材を開閉した状態を示す斜視図である。
【図３】本発明の実施の形態における装置本体から開放したスタンド部材でタブレット端末を立設させた状態を示す斜視図および側面図である。
【図４】本発明の実施の形態におけるタブレット端末の装置本体とスタンド部材との内部構造を示す横断底面図である。
【図５】本発明の実施の形態におけるタブレット端末の装置本体の内部構造を示す横断底面図である。
【図６】本発明の実施の形態におけるタブレット端末の装置本体の軸支部分の内部構造を示す断面斜視図である。
【図７】本発明の実施の形態におけるタブレット端末のスタンド部材の外観を示す斜視図である。
【図８】本発明の実施の形態におけるタブレット端末のスタンド部材の末端部分の外観を示す斜視図である。
【図９】本発明の実施の形態におけるタブレット端末の装置本体からスタンド部材が開放された状態を示す断面斜視図である。
【図１０】本発明の実施の形態におけるタブレット端末のスタンド部材の末端部分の外観を示す側面図である。
【図１１】本発明の実施の形態におけるタブレット端末の装置本体の軸支部分とスタンド部材の末端部分との内部構造を示す縦断側面図である。
【図１２】本発明の実施の形態におけるタブレット端末の装置本体の軸支部分とスタンド部材の末端部分との内部構造を示す横断底面図である。
【図１３】本発明の実施の形態におけるタブレット端末の装置本体の軸支部分とスタンド部材の末端部分との内部構造を示す横断底面図である。
【図１４】本発明の実施の形態の一の変形例におけるタブレット端末の装置本体の軸支部分とスタンド部材の末端部分との係合状態を示す模式的な縦断側面図である。
【図１５】本発明の実施の形態における一の変形例におけるタブレット端末の装置本体の軸支部分の内部構造を示す模式的な斜視図である。
【図１６】本発明の実施の形態の他の変形例におけるタブレット端末の装置本体の軸支部分とスタンド部材の末端部分との係合状態を示す模式的な縦断側面図である。
【図１７】本発明の実施の形態における他の変形例におけるタブレット端末の装置本体の軸支部分の内部構造を示す模式的な斜視図である。
【図１８】本発明の実施の形態の更に他の変形例におけるタブレット端末の装置本体の軸支部分とスタンド部材の末端部分との係合状態を示す模式的な縦断側面図である。
【図１９】本発明の実施の形態の更に他の変形例におけるタブレット端末の装置本体の軸支部分とスタンド部材の末端部分との係合状態を示す模式的な縦断側面図である。
【図２０】本発明の実施の形態の更に他の変形例におけるタブレット端末の装置本体の軸支部分とスタンド部材の末端部分との係合状態を示す模式的な縦断側面図である。
【図２１】本発明の実施の形態の更に他の変形例におけるタブレット端末の装置本体の軸支部分とスタンド部材の末端部分との係合状態を示す模式的な縦断側面図である。
【図２２】本発明の実施の形態の更に他の変形例におけるタブレット端末の装置本体の軸支部分とスタンド部材の末端部分との係合状態を示す模式的な縦断側面図である。
【図２３】本発明の実施の形態の更に他の変形例におけるタブレット端末の装置本体の軸支部分とスタンド部材の末端部分との係合状態を示す模式的な縦断側面図である。
【図２４】本発明の実施の形態の更に他の変形例におけるタブレット端末の装置本体の軸支部分とスタンド部材の末端部分との係合状態を示す模式的な縦断側面図である。
【図２５】本発明の実施の形態の更に他の変形例におけるタブレット端末の装置本体の軸支部分とスタンド部材の末端部分との係合状態を示す模式的な縦断側面図である。
【図２６】本発明の請求項１のみに対応したスタンド装置であるタブレット端末のスタンド部材を装置本体とともに示す模式的な縦断側面図である。
【発明を実施するための形態】
【００１４】
本発明の実施の一形態に関して図面を参照して以下に説明する。本実施の形態のスタンド装置であり携帯端末装置であるタブレット端末１０は、図１および図２６に示すように、装置本体１００と、スタンド部材２００と、一対の軸部２３０と、一対の軸穴１１０と、面取部２３１と、を有している。なお、図２６は、本発明の請求項１のみに対応したタブレット端末１０のスタンド部材２００を装置本体１００とともに示す模式的な縦断側面図である。
【００１５】
装置本体１００は、一対の軸穴１１０が形成されており、スタンド部材２００は、一対の軸部２３０が形成されていて装置本体１００に開閉自在に軸支されている。面取部２３１は、軸部２３０に形成されていて装置本体１００から開放されているスタンド部材２００に所定の外力が軸支方向に作用すると軸穴２４０との係合を解除する。
【００１６】
より詳細には、本実施の形態のタブレット端末１０のスタンド部材２００は、スタンド本体２１０と、一対のスタンド軸部２３０と、軸面取部２３１と、を有している。スタンド本体２１０は、図２ないし図４に示すように、使用状態で右端となる末端部分２２０が、タブレット端末１０の装置本体１００に軸支されている。この装置本体１００からスタンド部材２００を開放することにより、図５に示すように、本実施の形態のタブレット端末１０は、装置本体１００を床面ＦＳなどに立設させることができる。
【００１７】
スタンド本体２１０の末端部分２２０は、図６ないし図８に示すように、使用状態で上下方向となる軸支方向に分割されており、この一対に分割された末端部分２２０が、軸支方向である分割方向に弾性的に湾曲自在となっている。一対のスタンド軸部２３０は、スタンド本体２１０の末端部分２２０の両外側面に突設されており、装置本体１００の軸支部分の相対する一対の両内側面に形成されている本体軸穴１１０に回動自在に各々係合している。
【００１８】
軸面取部２３１は、一対のスタンド軸部２３０の各々の外端部の少なくとも一部に形成されており、中心側から外周側へと分割方向の内側に傾斜している。この軸面取部２３１は、スタンド本体２１０の使用状態で前後方向となる長手方向で、先端側から末端側へと分割方向の外側に傾斜している。
【００１９】
つまり、本実施の形態のスタンド部材２００では、軸面取部２３１は、図７および図８に示すように、略円柱状のスタンド軸部２３０の上下方向の外端部に形成されている。そして、軸面取部２３１は、上端側のスタンド軸部２３０では、前方から後方へと上方から下方に傾斜した形状に形成されており、下端側のスタンド軸部２３０では、前方から後方へと下方から上方に傾斜した形状に形成されている。このような軸面取部２３１は、スタンド軸部２３０の円形の軸部端面２３３の略半分に形成されている。
【００２０】
そして、このスタンド部材２００は、図８に示すように、スタンド軸部２３０の基端から軸面取部２３１の先端までの軸支方向の軸部全長ａと、軸面取部２３１の軸支方向の面取部長ｂと、分割されている末端部分２２０の間隙内幅ｃとが、
ａ＜ｂ＋ｃ
を満足するように形成されている。
【００２１】
さらには、本実施の形態のスタンド部材２００では、スタンド本体２１０の分割されている一対の末端部分２２０を、装置本体１００の軸支部分１２０に弾性的に圧入するとき、図７および図８に示すように、これを容易とするためのガイド部２３２も、スタンド軸部２３０の上下方向の外端部に形成されている。
【００２２】
このガイド部２３２は、軸面取部２３１とは逆側に、上端側のスタンド軸部２３０では、後方から前方へと上方から下方に傾斜した形状に形成されており、下端側のスタンド軸部２３０では、後方から前方へと下方から上方に傾斜した形状に形成されている。このようなガイド部２３２は、スタンド軸部２３０の円形の軸部端面２３３の略四分の一に形成されている。
【００２３】
さらには、本実施の形態のタブレット端末１０では、装置本体１００のスタンド収納穴１４０に閉止されたときと、装置本体１００のスタンド収納穴１４０から開放されたときに、スタンド部材２００を弾性的に保持するためのガイドリブ２４０も、図７に示すように、スタンド軸部２３０の外周の前方左方に形成されている。そこで、本実施の形態のタブレット端末１０の装置本体１００は、図９および図１０に示すように、本体軸穴１１０の外周に二つの凹部１３１，１３２が形成されている。
【００２４】
図１０に示すように、第一の凹部１３１は本体軸穴１１０の右方に形成されているので、ここにガイドリブ２４０が係合すると、図２(ａ)および図３(ａ)に示すように、スタンド部材２００のスタンド本体２１０は装置本体１００のスタンド収納穴１４０に閉止された状態に保持される。また、第二の凹部１３２は本体軸穴１１０の前方左方に形成されているので、ここにガイドリブ２４０が係合すると、図２(ｂ)および図３(ｂ)に示すように、スタンド部材２００のスタンド本体２１０は装置本体１００のスタンド収納穴１４０から開放された状態に保持される。
【００２５】
さらには、本実施の形態のタブレット端末１０では、上述したガイドリブ２４０と第二の凹部１３２による弾性的な保持だけでなく、装置本体１００から開放されたスタンド部材２００を確実に停止させるため、図７に示すように、分割されている末端部分２１０の内側にストッパ面２５０も形成されている。そこで、装置本体１００には、図３および図９および図１０および図１２などに示すように、スタンド収納穴１４０の内部右端に、スタンド部材２００のストッパ面２５０が接離自在に当接するストッパ部１４１が形成されている。
【００２６】
さらには、本実施の形態のタブレット端末１０では、詳細に関しては後述するが、図１１に示すように、装置本体１００の軸支部分１２０が、スタンド部材２００の分割されている末端部分２２０の一対の末端面が、個々に当接する一対の軸支底部１２２を有している。スタンド部材２００が開放された状態で、上方の末端面が当接する上方の軸支底部１２１より、下方の末端面が当接する下方の軸支底部１２２が、スタンド部材２００の先端側に突出している。
【００２７】
上述のような構成において、本実施の形態のタブレット端末１０は、携帯時や収納時には図２(ａ)および図３(ａ)に示すように、装置本体１００の後面のスタンド収納穴１４０にスタンド部材２００を閉止する。このような状態では、スタンド部材２００は全体がスタンド収納穴１４０に収納されて装置本体１００の後面は面一となるので、平板状のタブレット端末１０をコンパクトに携帯したり収納することができる。
【００２８】
このとき、スタンド部材２００のスタンド軸部２３０が、装置本体１００の本体軸穴１１０に回動自在に係合しており、図７に示すように、スタンド軸部２３０の外周に形成されているガイドリブ２４０が、図１０に示すように、本体軸穴１１０の外周の第一の凹部１３１に弾発的に係合している。このため、装置本体１００のスタンド収納穴１４０に収納されたスタンド部材２００が不用意に開放されることはない。
【００２９】
一方、タブレット端末１０を立設させて画像表示などに使用するときは、図２(ｂ)および図３(ｂ)および図４に示すように、装置本体１００の後面のスタンド収納穴１４０からスタンド部材２００を開放する。このときは、スタンド軸部２３０の外周に形成されているガイドリブ２４０が、本体軸穴１１０の外周の第二の凹部１３２に弾発的に係合する。このため、装置本体１００から開放されたスタンド部材２００が不用意に閉止されることがない。
【００３０】
このような状態で、図５に示すように、タブレット端末１０の装置本体１００をスタンド部材２００で床面ＦＳに立設させることができる。このとき、図１(ａ)に示すように、床面ＦＳからスタンド部材２００に作用する応力の方向と、装置本体１００の本体軸穴１１０に係合しているスタンド部材２００のスタンド軸部２３０の軸支方向とは、鉛直な同一平面上に位置している。つまり、タブレット端末１０の装置本体１００をスタンド部材２００で床面ＦＳに立設させた状態では、装置本体１００の本体軸穴１１０とスタンド部材２００のスタンド軸部２３０との係合を解除する方向に応力が作用している。
【００３１】
しかしながら、スタンド部材２００の末端部分２２０は、図８に示すように、軸支方向に分割されており、そのスタンド軸部２３０は装置本体１００の本体軸穴１１０に弾性的に係合している。このため、タブレット端末１０の装置本体１００をスタンド部材２００で床面ＦＳに立設させた状態で、装置本体１００に多少の応力が作用しても、その本体軸穴１１０にスタンド部材２００のスタンド軸部２３０は、係合したまま応力を弾性的に吸収する。
【００３２】
とくに、本実施の形態のタブレット端末１０では、図１１に示すように、スタンド部材２００の分割されている末端部分２２０の一対の末端面が、装置本体１００の一対の軸支底部１２２に個々に当接している。このため、タブレット端末１０の装置本体１００をスタンド部材２００で床面ＦＳに立設させた状態で、装置本体１００に多少の応力が作用しても、スタンド部材２００は軸支状態を維持することができる。
【００３３】
とくに、本実施の形態のタブレット端末１０では、スタンド部材２００が開放された状態で、上方の末端面が当接する上方の軸支底部１２１より、下方の末端面が当接する下方の軸支底部１２２が、スタンド部材２００の先端側に突出している。このため、図１３に示すように、タブレット端末１０の装置本体１００をスタンド部材２００で床面ＦＳに立設させた状態で、床面ＦＳからスタンド部材２００の先端部分に多少の応力が作用しても、スタンド部材２００は良好に軸支状態を維持することができる。
【００３４】
しかしながら、本実施の形態のタブレット端末１０では、装置本体１００をスタンド部材２００で床面ＦＳに立設させた状態で、装置本体１００に所定以上の応力が作用した場合、スタンド部材２００のスタンド本体２１０やスタンド軸部２３０の破損が懸念される。しかしながら、本実施の形態のタブレット端末１０では、図８に示すように、前述のようにスタンド部材２００の末端部分２２０が軸支方向に分割されていてスタンド軸部２３０が装置本体１００の本体軸穴１１０に弾性的に係合している。
【００３５】
そして、図７および図８に示すように、略円柱状のスタンド軸部２３０の上下方向の円形の軸部端面２３３の略半分に軸面取部２３１が形成されている。この軸面取部２３１は、図１１に示すように、上端側のスタンド軸部２３０では、前方から後方へと上方から下方に傾斜した形状に形成されており、下端側のスタンド軸部２３０では、前方から後方へと下方から上方に傾斜した形状に形成されている。
【００３６】
このため、上述のようにタブレット端末１０の装置本体１００をスタンド部材２００で床面ＦＳに立設させた状態で、装置本体１００に所定以上の応力が作用すると、図１１および図１(ｂ)に示すように、スタンド部材２００は末端部分２２０が分割方向の内側に湾曲し、下方のスタンド軸部２３０の軸面取部２３１が本体軸穴１１０の内部から外部まで変位する。
【００３７】
このとき、本実施の形態のタブレット端末１０では、図１１に示すように、スタンド部材２００が開放された状態で、上方の末端面が当接する上方の軸支底部１２１より、下方の末端面が当接する下方の軸支底部１２２が、スタンド部材２００の先端側に突出している。このため、図１３に示すように、タブレット端末１０の装置本体１００をスタンド部材２００で床面ＦＳに立設させた状態で、床面ＦＳからスタンド部材２００の先端部分に応力が作用すると、より容易にスタンド部材２００が装置本体１００から脱落する。
【００３８】
とくに、本実施の形態のタブレット端末１０では、スタンド部材２００は、図８に示すように、スタンド軸部２３０の基端から軸面取部２３１の先端までの軸支方向の軸部全長ａと、軸面取部２３１の軸支方向の面取部長ｂと、分割されている末端部分２２０の間隙内幅ｃとが、
ａ＜ｂ＋ｃ
を満足している。
【００３９】
このため、タブレット端末１０の装置本体１００をスタンド部材２００で床面ＦＳに立設させた状態で、装置本体１００に多少の応力が作用しても、本体軸穴１１０によるスタンド軸部２３０の軸支が維持されて、スタンド部材２００は脱落しない。しかしながら、所定以上の応力が作用すると、スタンド軸部２３０の軸面取部２３１が本体軸穴１１０の内部から外部まで変位して、装置本体１００からスタンド部材２００が脱落する。
【００４０】
なお、本実施の形態のタブレット端末１０では、上述のように装置本体１００からスタンド部材２００が脱落した場合、このスタンド部材２００を装置本体１００に手作業で装着することになる。その場合、スタンド本体２１０の分割されている一対の末端部分２２０を、装置本体１００の軸支部分１２０に弾性的に圧入する。
【００４１】
このように装置本体１００の軸支部分１２０に圧入されるスタンド部材の２００のスタンド軸部２３０には、軸面取部２３１とは逆側に、上端側のスタンド軸部２３０では、後方から前方へと上方から下方に傾斜し、下端側のスタンド軸部２３０では、後方から前方へと下方から上方に傾斜した形状の、ガイド部２３２が円形の軸部端面２３３の略四分の一に形成されている。このため、脱落したスタンド部材２００を、装置本体１００に手作業で円滑に圧入して装着することができる。
【００４２】
なお、上記形態では前後左右上下の方向を規定しているが、これは本発明の構成要素の相対関係を簡単に説明するために便宜的に規定したものである。この本発明で云う前後左右上下の方向は、図３に示すように、本発明のスタンド装置の装置本体をスタンド部材で立設させた状態に基づいており、この状態での各部の傾斜などは許容する。
【００４３】
また、本発明は本実施の形態に限定するものではなく、その要旨を逸脱しない範囲で各種の変形を許容する。たとえば、上記形態のタブレット端末１０では、スタンド部材２００が開放された状態で、上方の末端面が当接する上方の軸支底部１２１より、下方の末端面が当接する下方の軸支底部１２２が、スタンド部材２００の先端側に突出していることにより、床面ＦＳからスタンド部材２００の先端部分に多少の応力が作用しても、スタンド部材２００が軸支状態を良好に維持できることを例示した。
【００４４】
たとえば、図１４および図１５に例示するスタンド装置であるタブレット端末２０のように、もしもスタンド部材２００の分割されている末端部分２２０の一対の末端面が、個々に当接する一対の軸支底部１２２が装置本体１００にない場合、床面ＦＳからスタンド部材２００の先端部分に多少の応力が作用しても、スタンド部材２００はスタンド軸部２３０による軸支状態を維持することができず、装置本体１００の本体軸穴１１０から脱落する懸念がある。
【００４５】
このような場合、たとえば、図１６および図１７に例示するスタンド装置であるタブレット端末３０のように、スタンド部材２００の分割されている末端部分２２０の一対の末端面が、個々に当接する一対の軸支リブ１５１，１５２を装置本体１００に形成しておくことにより、床面ＦＳからスタンド部材２００の先端部分に多少の応力が作用しても、スタンド部材２００が軸支状態を良好に維持できるようにしてもよい。
【００４６】
また、図１８に例示するスタンド装置であるタブレット端末４０のように、スタンド部材２００の分割されている末端部分２２０の間隙に弾性部材２６０を圧入しておくことにより、スタンド部材２００の分割されている末端部分２２０が外側に拡開する応力をサポートし、床面ＦＳからスタンド部材２００の先端部分に多少の応力が作用しても、スタンド部材２００が軸支状態を良好に維持できるようにしてもよい。
【００４７】
同様に、スタンド部材２００の末端部分２２０を分割しているスリットの長さを短縮することにより、スタンド部材２００の分割されている末端部分２２０が内側に圧縮される反力を増大させ、床面ＦＳからスタンド部材２００の先端部分に多少の応力が作用しても、スタンド部材２００が軸支状態を良好に維持できるようにしてもよい（図示せず）。
【００４８】
なお、上記形態のタブレット端末１０などでは、装置本体１００の内側に相対する一対の本体軸穴１１０が形成されており、スタンド部材２００の外側に一対のスタンド軸部２３０が形成されており、これら一対のスタンド軸部２３０に軸面取部２３１が形成されていることを例示した。
【００４９】
しかしながら、図１９にスタンド装置として例示するタブレット端末５０のように、装置本体５００の本体外面に一対の本体軸穴５０１が形成されており、スタンド部材５１０の部材内面に相対する一対のスタンド軸部５１１が形成されており、これら一対のスタンド軸部５１１に軸面取部５１２が形成されていてもよい。このような軸面取部５１２は、少なくともスタンド本体５１３の長手方向で先端側から末端側へと分割方向の内側に傾斜していればよいが、図示するように、圧入を容易とするため、スタンド本体５１３の末端側から先端側へと分割方向の内側に傾斜した軸面取部５１４も形成されていてもよい。
【００５０】
また、図２０にスタンド装置として例示するタブレット端末６０のように、装置本体６００の本体内面に相対する一対の本体軸部６０１が形成されており、スタンド部材６１０の部材外面に一対のスタンド軸穴６１１が形成されており、これら一対のスタンド軸穴６１１に穴面取部６１２が形成されていてもよい。このような穴面取部６１２は、少なくともスタンド本体６１３の長手方向で先端側から末端側へと分割方向の内側に傾斜していればよいが、図示するように、スタンド本体６１３の末端側から先端側へと分割方向の内側に傾斜した穴面取部６１４も形成されていてもよい。
【００５１】
さらには、図２１にスタンド装置として例示するタブレット端末７０のように、装置本体７００の本体外面に一対の本体軸部７０１が形成されており、スタンド部材７１０の部材内面に相対する一対のスタンド軸穴７１１が形成されており、これら一対のスタンド軸穴７１１に穴面取部７１２が形成されていてもよい。このような穴面取部７１２は、少なくともスタンド本体７１３の長手方向で先端側から末端側へと分割方向の外側に傾斜していればよいが、図示するように、スタンド本体７１３の末端側から先端側へと分割方向の外側に傾斜した穴面取部７１４も形成されていてもよい。
【００５２】
また、図２２にスタンド装置として例示するタブレット端末８０のように、装置本体８００の本体外面に一対の本体軸部８１０が形成されており、スタンド部材８２０の部材内面に相対する一対のスタンド軸穴８２１が形成されており、一対の本体軸部８１０に軸面取部８１１が形成されていてもよい。このような軸面取部８１１は、少なくともスタンド本体８２２の長手方向で先端側から末端側へと分割方向の外側に傾斜していればよいが、図示するように、スタンド本体８２２の末端側から先端側へと分割方向の外側に傾斜した軸面取部８１２も形成されていてもよい。
【００５３】
さらには、図２３にスタンド装置として例示するタブレット端末９０のように、装置本体９００の本体内面に相対する一対の本体軸部９１０が形成されており、スタンド部材９２０の部材外面に一対のスタンド軸穴９２１が形成されており、一対の本体軸部９１０に軸面取部９１１が形成されていてもよい。このような軸面取部９１１は、少なくともスタンド本体９２２の長手方向で先端側から末端側へと分割方向の内側に傾斜していればよいが、図示するように、スタンド本体９２２の末端側から先端側へと分割方向の内側に傾斜した軸面取部９１２も形成されていてもよい。
【００５４】
また、図２４にスタンド装置として例示するタブレット端末１０００のように、装置本体１１００の本体外面に一対の本体軸穴１１１０が形成されており、スタンド部材１２００の部材内面に相対する一対のスタンド軸部１２１０が形成されており、一対の本体軸穴１１１０に穴面取部１１１１が形成されていてもよい。このような穴面取部１１１１は、少なくともスタンド本体１２２０の長手方向で先端側から末端側へと分割方向の内側に傾斜していればよいが、図示するように、スタンド本体１２２０の末端側から先端側へと分割方向の内側に傾斜した穴面取部１１１２も形成されていてもよい。
【００５５】
さらには、図２５にスタンド装置として例示するタブレット端末２０００のように、装置本体２１００の本体内面に相対する一対の本体軸穴２１１０が形成されており、スタンド部材２２００の部材外面に一対のスタンド軸部２２１０が形成されており、一対の本体軸穴２１１０に穴面取部２１１１が形成されていてもよい。このような穴面取部２１１１は、少なくともスタンド本体２２２０の長手方向で先端側から末端側へと分割方向の外側に傾斜していればよいが、図示するように、スタンド本体２２２０の末端側から先端側へと分割方向の外側に傾斜した穴面取部２１１２も形成されていてもよい。
【００５６】
また、上記形態ではスタンド装置が携帯端末装置であるタブレット端末１０などからなることを例示した。しかしながら、このようなスタンド装置が、携帯電話端末、スマートフォン、ＰＤＡ（Personal Digital Assistance）、ネットブックＰＣ（Personal Computer）、電子書籍リーダー、電子辞書、携帯メディアプレーヤー、携帯ゲーム機、などからなってもよい（図示せず）。
【００５７】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００５８】
また、上記形態の一部ないし全部は、以下の付記のようにも記載しうるが、以下の記載に限定するものではない。
【００５９】
（付記１）
スタンド装置の装置本体の軸支部分に軸支されている末端部分が軸支方向に一対に分割されていて分割方向に弾性的に湾曲自在なスタンド本体と、上記スタンド本体の一対の上記末端部分に分割方向に一方が形成されているとともに他方が上記装置本体の軸支部分に形成されていて相互に回動自在に係合する一対の軸部または一対の軸穴と、上記スタンド本体に形成されている一対の上記軸部または一対の上記軸穴の一方に形成されていて一対の上記末端部分の弾性変形により他方との係合を解除する形状の面取部と、を有しているスタンド部材。
【００６０】
（付記２）
上記軸部は、上記スタンド本体の上記末端部分の両外側面に突設されていて上記装置本体の軸支部分の相対する一対の両内側面に形成されている軸穴に回動自在に各々係合し、上記面取部は、一対の上記軸部の各々の外端部の少なくとも一部に形成されていて中心側から外周側へと分割方向の内側に傾斜している、付記１に記載のスタンド部材。
【００６１】
（付記３）
上記スタンド本体は、その長手方向で少なくとも先端側から末端側へと分割方向の外側に傾斜した上記面取部が上記軸部に形成されている、付記２に記載のスタンド部材。
【００６２】
（付記４）
上記スタンド本体は、上記スタンド軸部の基端から上記軸面取部の先端までの軸支方向の軸部全長ａと、上記軸面取部の軸支方向の面取部長ｂと、分割されている上記末端部分の間隙内幅ｃとが、
ａ＜ｂ＋ｃ
を満足している、付記１ないし３の何れか一項に記載のスタンド部材。
【００６３】
（付記５）
上記装置本体から開放されている上記スタンド本体に所定の外力が軸支方向に作用すると上記面取部が一対の上記軸部および一対の上記軸穴の係合を解除する方向に上記末端部分が弾性変形する、付記１ないし４の何れか一項に記載のスタンド部材。
【００６４】
（付記６）
上記スタンド本体は、分割されている上記末端部分の間隙に弾性体が配置されている、付記１ないし５の何れか一項に記載のスタンド部材。
【００６５】
（付記７）
スタンド装置のスタンド部材の軸支方向に分割されていて分割方向に弾性的に湾曲自在な末端部分を軸支する軸支部分と、上記軸支部分に軸支方向に一方が形成されているとともに他方が上記スタンド部材の一対の上記末端部分に形成されていて相互に回動自在に係合する一対の軸部または一対の軸穴と、上記軸支部分に形成されている一対の上記軸部または一対の上記軸穴の一方に形成されていて上記スタンド部材の一対の上記末端部分の弾性変形により他方との係合を解除する形状の面取部と、を有している装置本体。
【００６６】
（付記８）
スタンド本体の末端部分が一対に分割されていて分割方向に弾性的に湾曲自在なスタンド部材と、上記スタンド本体の末端部分を軸支部分で回動自在に軸支している装置本体と、上記スタンド本体の一対の上記末端部分に分割方向に一方が形成されているとともに他方が上記装置本体の軸支部分に形成されていて相互に回動自在に係合している一対の軸部および一対の軸穴と、一対の上記軸部および一対の上記軸穴の少なくとも一方に形成されていて上記スタンド部材の一対の上記末端部分の弾性変形により係合を解除する形状の面取部と、を有している、スタンド装置。
【００６７】
（付記９）
付記１ないし６の何れか一項に記載のスタンド部材と、上記スタンド部材の末端部分が軸支部分に回動自在に係合している上記装置本体と、を有しているスタンド装置。
【００６８】
（付記１０）
相互に回動自在に係合している一対の軸部および一対の軸穴の一方が装置本体に形成されており、一対の上記軸部および一対の上記軸穴の他方がスタンド部材に形成されており、一対の上記軸部および一対の上記軸穴の少なくとも一方に面取部が形成されており、上記装置本体から開放されている上記スタンド部材に所定の外力が軸支方向に作用すると上記面取部が一対の上記軸部および一対の上記軸穴の係合を解除する、スタンド装置の上記装置本体と上記スタンド部材との係合解除方法。
【００６９】
（付記１１）
スタンド装置の装置本体の軸支部分に軸支されている末端部分が軸支方向に一対に分割されていて分割方向に弾性的に湾曲自在なスタンド本体と、上記スタンド本体の上記末端部分の両外側面に突設されていて上記装置本体の軸支部分の相対する一対の両内側面に形成されている本体軸穴に回動自在に各々係合する一対のスタンド軸部と、一対の上記スタンド軸部の各々の外端部の少なくとも一部に形成されていて中心側から外周側へと分割方向の内側に傾斜している軸面取部と、を有しているスタンド部材。
【００７０】
（付記１２）
スタンド装置の装置本体の軸支部分に軸支されている末端部分が軸支方向に一対に分割されていて分割方向に弾性的に湾曲自在なスタンド本体と、上記スタンド本体の上記末端部分の相対する両内側面に突設されていて上記装置本体の軸支部分の一対の両外側面に形成されている本体軸穴に回動自在に各々係合する一対のスタンド軸部と、一対の上記スタンド軸部の各々の内端部の少なくとも一部に形成されていて中心側から外周側へと分割方向の外側に傾斜している軸面取部と、を有しているスタンド部材。
【００７１】
（付記１３）
スタンド装置の装置本体の軸支部分に軸支されている末端部分が軸支方向に一対に分割されていて分割方向に弾性的に湾曲自在なスタンド本体と、上記スタンド本体の上記末端部分の両外側面に形成されていて上記装置本体の軸支部分の相対する一対の両内側面に突設されている一対の本体軸部が回動自在に各々係合する一対のスタンド軸穴と、一対の上記スタンド軸穴の各々の外端部の少なくとも一部に形成されていて中心側から外周側へと分割方向の外側に傾斜している穴面取部と、を有しているスタンド部材。
【００７２】
（付記１４）
スタンド装置の装置本体の軸支部分に軸支されている末端部分が軸支方向に一対に分割されていて分割方向に弾性的に湾曲自在なスタンド本体と、上記スタンド本体の上記末端部分の相対する両内側面に形成されていて上記装置本体の軸支部分の両外側面に突設されている一対の本体軸部が回動自在に各々係合する一対のスタンド軸穴と、一対の上記スタンド軸穴の各々の内端部の少なくとも一部に形成されていて中心側から外周側へと分割方向の内側に傾斜している穴面取部と、を有しているスタンド部材。
【００７３】
（付記１５）
スタンド装置のスタンド本体の軸支方向に分割されていて分割方向に弾性的に湾曲自在な末端部分を軸支する軸支部分と、上記軸支部分の軸支方向の両外側面に突設されていて上記スタンド本体の末端部分の分割方向の両内側面に形成されている一対のスタンド軸穴に回動自在に各々係合する一対の本体軸部と、一対の上記本体軸部の各々の外端部の少なくとも一部に形成されていて外周側から中心側へと分割方向の外側に傾斜している軸面取部と、を有している装置本体。
【００７４】
（付記１６）
スタンド装置のスタンド本体の軸支方向に分割されていて分割方向に弾性的に湾曲自在な末端部分を軸支する軸支部分と、上記軸支部分の軸支方向に相対する一対の両内側面に突設されていて上記スタンド本体の末端部分の分割方向の両外側面に形成されている一対のスタンド軸穴に回動自在に各々係合する一対の本体軸部と、一対の上記本体軸部の各々の内端部の少なくとも一部に形成されていて中心側から外周側へと分割方向の外側に傾斜している軸面取部と、を有している装置本体。
【００７５】
（付記１７）
スタンド装置のスタンド本体の軸支方向に分割されていて分割方向に弾性的に湾曲自在な末端部分を軸支する軸支部分と、上記軸支部分の軸支方向の両外側面に形成されていて上記スタンド本体の末端部分の分割方向の両内側面に突設されている一対のスタンド軸部が回動自在に各々係合する一対の本体軸穴と、一対の上記本体軸穴の各々の外端部の少なくとも一部に形成されていて中心側から外周側へと分割方向の外側に傾斜している穴面取部と、を有している装置本体。
【００７６】
（付記１８）
スタンド装置のスタンド本体の軸支方向に分割されていて分割方向に弾性的に湾曲自在な末端部分を軸支する軸支部分と、上記軸支部分の軸支方向に相対する一対の両内側面に形成されていて上記スタンド本体の末端部分の分割方向の両外側面に突設されている一対のスタンド軸部が回動自在に各々係合する一対の本体軸穴と、一対の上記本体軸穴の各々の内端部の少なくとも一部に形成されていて中心側から外周側へと分割方向の内側に傾斜している穴面取部と、を有している装置本体。
【００７７】
（付記１９）
上記軸支部分は、上記スタンド部材の分割されている上記末端部分の一対の末端面が個々に当接する一対の軸支底部を有しており、上記スタンド部材が開放された状態で上方の上記末端面が当接する上方の上記軸支底部より下方の上記末端面が当接する下方の上記軸支底部が上記スタンド部材の先端側に突出している、付記７または８または１５ないし１８の何れか一項に記載の装置本体。
【符号の説明】
【００７８】
１０  スタンド装置であるタブレット端末
１００  装置本体
１１０  本体軸穴
２００  スタンド部材
２１０  スタンド本体
２２０  末端部分
２３０  スタンド軸部
２３１  軸面取部
５０  スタンド装置であるタブレット端末
５０１  装置本体
５１０  スタンド部材
５１１  スタンド軸部
５１２  軸面取部
５１３  スタンド本体
５１４  軸面取部
６０  スタンド装置であるタブレット端末
６００  装置本体
６０１  本体軸部
６１１  スタンド軸穴
６１２  穴面取部
６１３  スタンド本体
６１４  穴面取部
７０  スタンド装置であるタブレット端末
７００  装置本体
７０１  本体軸部
７１０  スタンド部材
７１１  スタンド軸穴
７１２  穴面取部
７１３  スタンド本体
７１４  穴面取部
８０  タブレット端末
８００  装置本体
８１０  本体軸部
８２０  スタンド部材
８２１  スタンド軸穴
８２２  スタンド本体
９０  スタンド装置であるタブレット端末
９００  装置本体
９１０  本体軸部
９１２  軸面取部
９２０  スタンド部材
９２１  スタンド軸穴
９２２  スタンド本体
１０００  スタンド装置であるタブレット端末
１１００  装置本体
１１１０  本体軸穴
１１１１  穴面取部
１１１２  穴面取部
１２００  スタンド部材
１２１０  スタンド軸部
２０００  タブレット端末
２１００  装置本体
２１１０  本体軸穴
２１１１  穴面取部
２１１２  穴面取部
２２００  スタンド部材
２２１０  スタンド軸部
２２２０  スタンド本体
【図１】
2014066321.tif 000003
【図２】
2014066321.tif 000004
【図３】
2014066321.tif 000005
【図４】
2014066321.tif 000006
【図５】
2014066321.tif 000007
【図６】
2014066321.tif 000008
【図７】
2014066321.tif 000009
【図８】
2014066321.tif 000010
【図９】
2014066321.tif 000011
【図１０】
2014066321.tif 000012
【図１１】
2014066321.tif 000013
【図１２】
2014066321.tif 000014
【図１３】
2014066321.tif 000015
【図１４】
2014066321.tif 000016
【図１５】
2014066321.tif 000017
【図１６】
2014066321.tif 000018
【図１７】
2014066321.tif 000019
【図１８】
2014066321.tif 000020
【図１９】
2014066321.tif 000021
【図２０】
2014066321.tif 000022
【図２１】
2014066321.tif 000023
【図２２】
2014066321.tif 000024
【図２３】
2014066321.tif 000025
【図２４】
2014066321.tif 000026
【図２５】
2014066321.tif 000027
【図２６】
2014066321.tif 000028